【手続補正書】
【提出日】平成30年5月17日(2018.5.17)
【手続補正１】
【補正対象書類名】特許請求の範囲
【補正対象項目名】全文
【補正方法】変更
【補正の内容】
【特許請求の範囲】
【請求項１】
容器内の液体に超音波振動を与えて液面に液隆起部を形成させ前記液体を霧化する超音波霧化装置において、前記容器の底板に開口部を設け、該開口部の下にくぼみ部を設けるとともに、該くぼみ部の底板に超音波振動子を設置し、さらに、前記容器底板の前記開口部近傍に開口部を取り囲むように円弧状液誘導板を設けることを特徴とする、超音波霧化装置。
【請求項２】
前記開口部が、前記くぼみ部を覆う状態で、前記容器底板に前記くぼみ部の中心に開口部を有する座金状部材を配置したものである、請求項１に記載の超音波霧化装置。
【請求項３】
前記開口部の中心と、前記くぼみ部の中心と、前記超音波振動子の中心が、略一致するように配置されることを特徴とする、請求項１又は２に記載の超音波霧化装置。
【請求項４】
前記超音波霧化装置が、さらに、微小な貫通孔が多数形成された多孔板と、該多孔板を所定位置に配設するための配設手段とを備え、前記多孔板は弾性保持部材を介して前記配設手段に取り付けられ、前記多孔板がその下面が超音波振動子の作動時に形成される液隆起部に接触する位置に配設されることを特徴とする、請求項１乃至３のいずれかに記載の超音波霧化装置。
【請求項５】
前記開口部の直径（ｄ１）が、前記超音波振動子の直径（Ｄ）に対する比率（ｄ１／Ｄ）で０．４〜０．５５の範囲にあることを特徴とする、請求項１乃至４のいずれかに記載の超音波霧化装置。
【請求項６】
前記円弧状液誘導板が、その内側面が前記開口部の中心からくぼみ部の半径（Ｒ０）の０．９〜１．１倍となる位置に設置されていることを特徴とする、請求項１乃至５のいずれかに記載の超音波霧化装置。
【請求項７】
前記円弧状液誘導板が、その円弧の長さが前記開口部の中心からみた円弧の見込み角が７５度〜１５０度の範囲にあることを特徴とする、請求項１乃至６のいずれかに記載の超音波霧化装置。
【請求項８】
前記円弧状液誘導板が、その円弧のそれぞれ両端部の全長の約１／３の部分が高さゼロから所定の高さまで傾斜したスロープ状の形状であることを特徴とする、請求項１乃至７のいずれかに記載の超音波霧化装置。
【請求項９】
前記多孔板が、その厚さが０．０２ｍｍ〜０．０５ｍｍであり、その貫通孔の孔径が０．００２ｍｍ〜０．１００ｍｍのものであることを特徴とする、請求項１乃至８のいずれかに記載の超音波霧化装置。
【請求項１０】
容器内の水に超音波振動を与えて水面に液隆起部を形成させ前記水を霧化する超音波加湿器において、前記容器の底部に更にくぼみ部を設け、該くぼみ部の底に超音波振動子を設置し、該くぼみ部を覆う状態でその中心に開口部を有する座金状部材を配置するか、又は該くぼみ部の中心が開口した位置となるように開口部を有する容器底板で該くぼみ部を覆い、さらに、この座金状部材又は容器底板の開口部近傍に開口部を取り囲むように円弧状液誘導板を設けるとともに、微小な貫通孔が多数形成された多孔板とこの多孔板を所定位置に配設するための配設手段とを備え、前記多孔板は弾性保持部材を介して前記配設手段に取り付けられ、この配設手段によって前記多孔板がその下面が超音波振動の作動時に形成される液隆起部に接触する位置に配設されたことを特徴とする超音波加湿器。
【請求項１１】
容器内の芳香成分を含む水に超音波振動を与えて水面に液隆起部を形成させ霧化した水とともに芳香成分を揮散させるアロマディフューザーにおいて、前記容器の底部に更にくぼみ部を設け、該くぼみ部の底に超音波振動子を設置し、該くぼみ部を覆う状態でその中心に開口を有する座金状部材を配置するか、又は該くぼみ部の中心が開口した位置となるように開口部を有する容器底板で該くぼみ部を覆い、さらに、この座金状部材又は容器底板の開口部近傍に開口部を取り囲むように円弧状液誘導板を設けるとともに、微小な貫通孔が多数形成された多孔板とこの多孔板を所定位置に配設するための配設手段とを備え、前記多孔板は弾性保持部材を介して前記配設手段に取り付けられ、この配設手段によって前記多孔板がその下面が超音波振動の作動時に形成される液隆起部に接触する位置に配設されたことを特徴とするアロマディフューザー。
【手続補正２】
【補正対象書類名】明細書
【補正対象項目名】００１５
【補正方法】変更
【補正の内容】
【００１５】
（１）容器内の液体に超音波振動を与えて液面に液隆起部を形成させ前記液体を霧化する超音波霧化装置において、前記容器の底板に開口部を設け、該開口部の下にくぼみ部を設けるとともに、該くぼみ部の底板に超音波振動子を設置し、さらに、前記容器底板の前記開口部近傍に開口部を取り囲むように円弧状液誘導板を設けることを特徴とする、超音波霧化装置。
（２）前記開口部が、前記くぼみ部を覆う状態で、前記容器底板に前記くぼみ部の中心に開口部を有する座金状部材を配置したものである、前記（１）に記載の超音波霧化装置。
（３）前記開口部の中心と、前記くぼみ部の中心と、前記超音波振動子の中心が、略一致するように配置されることを特徴とする、前記（１）又は（２）に記載の超音波霧化装置。
（４）前記超音波霧化装置が、さらに、微小な貫通孔が多数形成された多孔板と、該多孔板を所定位置に配設するための配設手段とを備え、前記多孔板は弾性保持部材を介して前記配設手段に取り付けられ、前記多孔板がその下面が超音波振動子の作動時に形成される液隆起部に接触する位置に配設されることを特徴とする、前記（１）乃至（３）のいずれかに記載の超音波霧化装置。
【手続補正３】
【補正対象書類名】明細書
【補正対象項目名】００１６
【補正方法】変更
【補正の内容】
【００１６】
（５）前記開口部の直径（ｄ１）が、前記超音波振動子の直径（Ｄ）に対する比率（ｄ１／Ｄ）で０．４〜０．５５の範囲にあることを特徴とする、前記（１）乃至（４）のいずれかに記載の超音波霧化装置。
【手続補正４】
【補正対象書類名】明細書
【補正対象項目名】００１７
【補正方法】変更
【補正の内容】
【００１７】
（６）前記円弧状液誘導板が、その内側面が前記開口部の中心からくぼみ部の半径（Ｒ０）の０．９〜１．１倍となる位置に設置されていることを特徴とする、前記（１）乃至（５）のいずれかに記載の超音波霧化装置。
【手続補正５】
【補正対象書類名】明細書
【補正対象項目名】００１８
【補正方法】変更
【補正の内容】
【００１８】
（７）前記円弧状液誘導板が、その円弧の長さが前記開口部の中心からみた円弧の見込み角（扇角）が７５度〜１５０度の範囲にあることを特徴とする、前記（１）乃至（６）のいずれかに記載の超音波霧化装置。
【手続補正６】
【補正対象書類名】明細書
【補正対象項目名】００１９
【補正方法】変更
【補正の内容】
【００１９】
（８）前記円弧状液誘導板が、その円弧のそれぞれ両端部の全長の約１／３の部分が高さゼロから所定の高さまで傾斜したスロープ状の形状であることを特徴とする、前記（１）乃至（７）のいずれかに記載の超音波霧化装置。
【手続補正７】
【補正対象書類名】明細書
【補正対象項目名】００２０
【補正方法】変更
【補正の内容】
【００２０】
（９）前記多孔板が、その厚さが０．０２ｍｍ〜０．０５ｍｍであり、その貫通孔の孔径が０．００２ｍｍ〜０．１００ｍｍのものであることを特徴とする、前記（１）乃至（８）のいずれかに記載の超音波霧化装置。
【手続補正８】
【補正対象書類名】明細書
【補正対象項目名】００２１
【補正方法】変更
【補正の内容】
【００２１】
（１０）容器内の水に超音波振動を与えて水面に液隆起部を形成させ前記水を霧化する超音波加湿器において、前記容器の底部に更にくぼみ部を設け、該くぼみ部の底に超音波振動子を設置し、該くぼみ部を覆う状態でその中心に開口部を有する座金状部材を配置するか、又は該くぼみ部の中心が開口した位置となるように開口部を有する容器底板で該くぼみ部を覆い、さらに、この座金状部材又は容器底板の開口部近傍に開口部を取り囲むように円弧状液誘導板を設けるとともに、微小な貫通孔が多数形成された多孔板とこの多孔板を所定位置に配設するための配設手段とを備え、前記多孔板は弾性保持部材を介して前記配設手段に取り付けられ、この配設手段によって前記多孔板がその下面が超音波振動の作動時に形成される液隆起部に接触する位置に配設されたことを特徴とする超音波加湿器。
【手続補正９】
【補正対象書類名】明細書
【補正対象項目名】００２２
【補正方法】変更
【補正の内容】
【００２２】
（１１）容器内の芳香成分を含む水に超音波振動を与えて水面に液隆起部を形成させ霧化した水とともに芳香成分を揮散させるアロマディフューザーにおいて、前記容器の底部に更にくぼみ部を設け、該くぼみ部の底に超音波振動子を設置し、該くぼみ部を覆う状態でその中心に開口を有する座金状部材を配置するか、又は該くぼみ部の中心が開口した位置となるように開口部を有する容器底板で該くぼみ部を覆い、さらに、この座金状部材又は容器底板の開口部近傍に開口部を取り囲むように円弧状液誘導板を設けるとともに、微小な貫通孔が多数形成された多孔板とこの多孔板を所定位置に配設するための配設手段とを備え、前記多孔板は弾性保持部材を介して前記配設手段に取り付けられ、この配設手段によって前記多孔板がその下面が超音波振動の作動時に形成される液隆起部に接触する位置に配設されたことを特徴とするアロマディフューザー。
【手続補正１０】
【補正対象書類名】明細書
【補正対象項目名】００２８
【補正方法】変更
【補正の内容】
【００２８】
さらに、本発明の好ましい態様として、液体を収容した容器１の液面の上部に、微小な貫通孔が多数形成された多孔板１１とこの多孔板１１を所定位置に配設するための配設手段９とを備え、この多孔板１１は弾性保持部材１０を介して前記配設手段９に取り付けられている。この多孔板１１は、配設手段９によってその下面が超音波振動子３の作動時に液隆起部１５に接触する位置になるように配設されている。多孔板１１は厚さが０．１ｍｍ以下という非常に薄くて繊細な構造のものであるため、その補強と取扱いやすさのためにその周囲をとり囲むように多孔板保持材１２に取り付けられている。